(57)【特許請求の範囲】
【請求項１】
ベランダまたはパラペットのコーナー部分の構築に用いる、コーナー部の両側に平面部を有する断面が実質的にＬ字型のＡＬＣコーナーパネルにおいて、
このパネル（２０）内に、縦筋と横筋よりなりその２枚がパネル厚方向に間隔をおく篭状をなす補強鉄筋（５０）を埋設すると共に、
前記各平面部の縦方向の下部（Ａ）と中間部（Ｂ）との２箇所のみに、アンカー本体に足部（３０ａ，３１ａ）を有するとともにめねじを有するアンカー（３０，３１）をそれぞれ埋設し、
前記アンカー（３０，３１）の足部（３０ａ，３１ａ）の端部を補強鉄筋（５０）の横筋に固定したことを特徴とするＡＬＣコーナーパネル。
【請求項２】
ベランダまたはパラペットのコーナー部分の構築に用いる、コーナー部の両側に平面部を有する断面が実質的にＬ字型のＡＬＣコーナーパネルにおいて、
このパネル（２０）内に、縦筋と横筋よりなりその２枚がパネル厚方向に間隔をおく篭状をなす補強鉄筋（５０）を埋設すると共に、
前記各平面部の縦方向の下部（Ａ）に、アンカー本体に足部（３０ａ，３１ａ）を有するとともにめねじを有するアンカー（３０）を、また前記各平面部の縦方向の中間部（Ｂ）に、パネルの縦方向に長尺に形成されており、取付金物のボルトと適合する位置にめねじ孔（４１）が設けられると共に、長手方向両端にそれぞれ各２本の足部（４２ａ，４２ｂ，４２ｃ，４２ｄ）を有するアンカー用長尺板（４０）をそれぞれ埋設し、
前記アンカー（３０，３１）の足部（３０ａ，３１ａ）の端部を補強鉄筋（５０）の横筋に固定し、
前記各アンカー用長尺板（４０）の足部（４２ａ，４２ｂ，４２ｃ，４２ｄ）を補強鉄筋（５０）の縦筋に固定し、
前記めねじを有するアンカー（３）の頭部位置と、前記アンカー用長尺板（４０）の表面位置とが、パネル取付側表面からほぼ同じ深さに位置していることを特徴とするＡＬＣコーナーパネル。
【請求項３】
ベランダまたはパラペットのコーナー部分の構築に用いる、コーナー部の両側に平面部を有する断面が実質的にＬ字型のＡＬＣコーナーパネルにおいて、
このパネル（２０）内に、縦筋と横筋よりなりその２枚がパネル厚方向に間隔をおく篭状をなす補強鉄筋（５０）を埋設すると共に、
前記各平面部に、その縦方向略中心位置から下部にまで連続した、パネルの縦方向に長尺に形成されており、取付金物のボルトと適合する縦方向下部位置にめねじ孔（４１）が設けられると共に、長手方向両端にそれぞれ各２本の足部（４２ａ，４２ｂ，４２ｃ，４２ｄ）を有するアンカー用長尺板（４０）をそれぞれ埋設し、
前記各アンカー用長尺板（４０）の足部（４２ａ，４２ｂ，４２ｃ，４２ｄ）を前記補強鉄筋（５０）の縦筋に固定し、
前記アンカー用長尺板（４０）の表面位置が、パネル厚みの中心位置よりもパネル取付側に位置していることを特徴とするＡＬＣコーナーパネル。
【請求項４】
ベランダまたはパラペットのコーナー部分の構築に用いる、コーナー部の両側に平面部を有する断面が実質的にＬ字型のＡＬＣコーナーパネルであって、
このパネル（２０）内に、縦筋と横筋よりなりその２枚がパネル厚方向に間隔をおく篭状をなす補強鉄筋（５０）を埋設すると共に、
前記各平面部の縦方向の下部（Ａ）と中間部（Ｂ）との２箇所のみに、アンカー本体に足部（３０ａ，３１ａ）を有するとともにめねじを有するアンカー（３０，３１）をそれぞれ埋設し、
前記アンカー（３０，３１）の足部（３０ａ，３１ａ）の端部を補強鉄筋（５０）の横筋に固定したＡＬＣコーナーパネル（２０）と、
縦方向の下部と中間部とにそれぞれめねじを有するアンカーが埋設されている平板状ＡＬＣパネル（１０）とが、
その各縦方向の小口面同士を突き合わされると共に、前記各めねじを有するアンカー（３０）を、取付金物を介して建物躯体（７０）に取付けたことを特徴とするＡＬＣコーナーパネルの取付構造。
【請求項５】
ベランダまたはパラペットのコーナー部分の構築に用いる、コーナー部の両側に平面部を有する断面が実質的にＬ字型のＡＬＣコーナーパネルであって、
このパネル（２０）内に、縦筋と横筋よりなりその２枚がパネル厚方向に間隔をおく篭状をなす補強鉄筋（５０）を埋設すると共に、
前記各平面部の縦方向の下部（Ａ）に、アンカー本体に足部（３０ａ，３１ａ）を有するとともにめねじを有するアンカー（３０）を、また前記各平面部の縦方向の中間部（Ｂ）に、パネルの縦方向に長尺に形成されており、取付金物のボルトと適合する位置にめねじ孔（４１）が設けられると共に、長手方向両端にそれぞれ各２本の足部（４２ａ，４２ｂ，４２ｃ，４２ｄ）を有するアンカー用長尺板（４０）をそれぞれ埋設し、
前記アンカー（３０，３１）の足部（３０ａ，３１ａ）の端部を補強鉄筋（５０）の横筋に固定し、前記各アンカー用長尺板（４０）の足部（４２ａ，４２ｂ，４２ｃ，４２ｄ）を補強鉄筋（５０）の縦筋に固定し、
前記めねじを有するアンカー（３）の頭部位置と、前記アンカー用長尺板（４０）の表面位置とが、パネル取付側表面からほぼ同じ深さに位置しているＡＬＣコーナーパネル（２０）と、
縦方向の下部と中間部とにそれぞれめねじを有するアンカーが埋設されている平板状ＡＬＣパネル（１０）とが、
その各縦方向の小口面同士を突き合わされると共に、前記各めねじを有するアンカー（３０）と各アンカー用長尺板（４０）とを、取付金物を介して建物躯体（７０）に取付けたことを特徴とするＡＬＣコーナーパネルの取付構造。
【発明の詳細な説明】
【０００１】
【発明の属する技術分野】
本発明は、ベランダ構造などに適用されるＡＬＣコーナーパネルおよびその取付構造に関するものであり、さらに詳しくは、ベランダ構造などを構築する際に、同じＡＬＣ材質からなる平板状ＡＬＣパネルと組合わせて使用可能で、建物躯体に取付けるための座堀り作業や座堀り部の補修作業が不要であり、外観および取付強度を損なうことのないＡＬＣコーナーパネルおよびその取付構造に関するものである。
【０００２】
【従来の技術】
ＡＬＣパネル（軽量気泡コンクリート壁パネル）は、コンクリートに比べて多孔質であるため、軽量性および断熱性がすぐれており、これらの特性を生かして建築材料、例えばベランダやパラペット構造の構築材料などとして広く使用されている。
【０００３】
そして、ＡＬＣパネルを用いてベランダ構造などを構築するためには、ＡＬＣパネルは一般のコンクリートなどの素材とは異なり強度が小さいために、使用するＡＬＣパネルの上部、下部および側面をアングル材により補強する工法が一般に採用されていた。
【０００４】
しかるに、本出願人は、その縦方向の下部と中間部とにめねじを有するアンカーを埋設したＡＬＣパネルを使用することにより、従来のアングル材を不要とすると共に、意匠性のすぐれたベランダ構造などを構築できることを見出し、先に特願平８−３２７８６２号（特開平９−２０３１５１号公報）として提案した。
【０００５】
すなわち、図５は本出願による上記先の提案におけるＡＬＣパネルの取付構造を示す一部透視斜視説明図であり、１，１は平板状ＡＬＣパネル、２はコーナーパネルを示す。
【０００６】
各平板状ＡＬＣパネル１，１には、その縦方向の下部と中間部とにめねじを有するアンカー３ａ，３ｂがそれぞれ埋設されており、取付金物としての受けアングル５、Ｌ字型アングル６、取付金具７ａ，７ｂおよびボルト８ａ，８ｂを介して建物躯体（梁）４に取付けられるように構成されている。
【０００７】
つまり、建物躯体４に支持された受けアングル５により、平板状ＡＬＣパネル１の縦方向下部小口面を受けて、この受けアングル５に固定したボルト８ａを、平板状ＡＬＣパネル１の各下部寄りに埋設されためねじを有するアンカー３ａに取付金具７ａを介して固定すると共に、同じく上側のＬ字型アングル６に平板状ＡＬＣパネル１の縦方向略中間部を沿わせ、このＬ字型アングル６に固定したボルト８ｂを、平板状ＡＬＣパネル１の縦方向略中心部に埋設されためねじを有するアンカー８ｂに取付金具７ｂを介して固定する。
【０００８】
なお、ベランダなどのコーナー部分を形成するコーナーパネル２は、上記平板状ＡＬＣパネル１，１とその各縦方向の小口面同士が突き合わされて、上記平板状ＡＬＣパネル１，１の場合と同様に、その縦方向の下部と中間部が取付金物を介して建物躯体４に固定される。
【０００９】
しかるに、このようにＡＬＣパネルの縦方向の下部と中間部とを支持するベランダなどの取付構造においては、そのコーナー部分を構成するコーナーパネル２に対しかなりの取付強度が要求されることになるため、平板状ＡＬＣパネル１，１と同じ材質からなるＡＬＣパネルをコーナーパネルとして適用することは困難であり、従来ではＡＬＣパネルとは異なる堅い軽量コンクリート材からなるコーナーパネル２が使用されていた。
【００１０】
しかも、この軽量コンクリート材からなるコーナーパネル２においては、めねじを有するアンカー３ａ，３ｂを埋設する代わりに、図６に示したようにパネルの反取付部側から座堀りして座堀り部３ｃを形成し、この座堀り部３ｃに通したボルト８ｂにナット３ｄを螺合した後、さらに座堀り部３ｃにセメントモルタルなどを注入することにより、その座堀り部分の補修を行い、パネル表面を修正する必要があった。
【００１１】
【発明が解決しようとする課題】
このように、従来のベランダなどの構築に使用するコーナーパネルでは、その取付けのために座堀り作業およびその補修作業が必要であるため、作業面および外観上においてきわめて不利であり、またそのコーナーパネルの製造のためにＡＬＣパネル以外の軽量コンクリート板などの他の素材を用意しなければならないという不都合があった。
【００１２】
本発明は、上述した従来技術における問題点の解決を課題として検討した結果達成されたものである。
【００１３】
したがって、本発明の目的は、ベランダ構造などを構築する際に、同じＡＬＣ材質からなる平板状ＡＬＣパネルと組合わせて使用可能で、建物躯体に取付けるための座堀り作業や座堀り部の補修作業が不要であり、外観および取付強度を損なうことのないＡＬＣコーナーパネルおよびその取付構造を提供することにある。
【００１４】
【課題を解決するための手段】
上記の目的を達成するために、本発明のＡＬＣコーナーパネルの第１の態様は、ベランダまたはパラペットのコーナー部分の構築に用いる、コーナー部の両側に平面部を有する断面が実質的にＬ字型のＡＬＣコーナーパネルにおいて、このパネル内に、縦筋と横筋よりなりその２枚がパネル厚方向に間隔をおく篭状をなす補強鉄筋を埋設すると共に、前記各平面部の縦方向の下部と中間部との２箇所のみに、アンカー本体に足部を有するとともにめねじを有するアンカーをそれぞれ埋設し、前記アンカーの足部の端部を補強鉄筋の横筋に固定したことを特徴とする。
【００１５】
また、本発明のＡＬＣコーナーパネルの第２の態様は、ベランダまたはパラペットのコーナー部分の構築に用いる、コーナー部の両側に平面部を有する断面が実質的にＬ字型のＡＬＣコーナーパネルにおいて、このパネル内に、縦筋と横筋よりなりその２枚がパネル厚方向に間隔をおく篭状をなす補強鉄筋を埋設すると共に、前記各平面部の縦方向の下部に、アンカー本体に足部を有するとともにめねじを有するアンカーを、また前記各平面部の縦方向の中間部に、パネルの縦方向に長尺に形成されており、取付金物のボルトと適合する位置にめねじ孔が設けられると共に、長手方向両端にそれぞれ各２本の足部を有するアンカー用長尺板をそれぞれ埋設し、前記アンカーの足部の端部を補強鉄筋の横筋に固定し、前記各アンカー用長尺板の足部を補強鉄筋の縦筋に固定し、前記めねじを有するアンカーの頭部位置と、前記アンカー用長尺板の表面位置とが、パネル取付側表面からほぼ同じ深さに位置していることを特徴とする。
【００１７】
さらに、本発明のＡＬＣコーナーパネルの第３の態様は、ベランダまたはパラペットのコーナー部分の構築に用いる、コーナー部の両側に平面部を有する断面が実質的にＬ字型のＡＬＣコーナーパネルにおいて、このパネル内に、縦筋と横筋よりなりその２枚がパネル厚方向に間隔をおく篭状をなす補強鉄筋を埋設すると共に、前記各平面部に、その縦方向略中心位置から下部にまで連続した、パネルの縦方向に長尺に形成されており、取付金物のボルトと適合する縦方向下部位置にめねじ孔が設けられると共に、長手方向両端にそれぞれ各２本の足部を有するアンカー用長尺板をそれぞれ埋設し、前記各アンカー用長尺板の足部を前記補強鉄筋の縦筋に固定し、前記アンカー用長尺板の表面位置が、パネル厚みの中心位置よりもパネル取付側に位置していることを特徴とする。
【００１９】
また、本発明のＡＬＣコーナーパネルの取付構造は、ベランダまたはパラペットのコーナー部分の構築に用いる、コーナー部の両側に平面部を有する断面が実質的にＬ字型のＡＬＣコーナーパネルであって、このパネル内に、縦筋と横筋よりなりその２枚がパネル厚方向に間隔をおく篭状をなす補強鉄筋を埋設すると共に、前記各平面部の縦方向の下部と中間部との２箇所のみに、アンカー本体に足部を有するとともにめねじを有するアンカーをそれぞれ埋設し、前記アンカーの足部の端部を補強鉄筋の横筋に固定したＡＬＣコーナーパネルと、縦方向の下部と中間部とにそれぞれめねじを有するアンカーが埋設されている平板状ＡＬＣパネルとが、その各縦方向の小口面同士を突き合わされると共に、前記各めねじを有するアンカーを、取付金物を介して建物躯体に取付けたことを特徴とし、この場合には、ＡＬＣコーナーパネルと平板状ＡＬＣパネルとが、同じＡＬＣ材質から構成されていることが好ましい。
【００２０】
また、別の本発明のＡＬＣコーナーパネルの取付構造は、ベランダまたはパラペットのコーナー部分の構築に用いる、コーナー部の両側に平面部を有する断面が実質的にＬ字型のＡＬＣコーナーパネルであって、このパネル内に、縦筋と横筋よりなりその２枚がパネル厚方向に間隔をおく篭状をなす補強鉄筋を埋設すると共に、前記各平面部の縦方向の下部に、アンカー本体に足部を有するとともにめねじを有するアンカーを、また前記各平面部の縦方向の中間部に、パネルの縦方向に長尺に形成されており、取付金物のボルトと適合する位置にめねじ孔が設けられると共に、長手方向両端にそれぞれ各２本の足部を有するアンカー用長尺板をそれぞれ埋設し、前記アンカーの足部の端部を補強鉄筋の横筋に固定し、前記各アンカー用長尺板の足部を補強鉄筋の縦筋に固定し、前記めねじを有するアンカーの頭部位置と、前記アンカー用長尺板の表面位置とが、パネル取付側表面からほぼ同じ深さに位置しているＡＬＣコーナーパネルと、縦方向の下部と中間部とにそれぞれめねじを有するアンカーが埋設されている平板状ＡＬＣパネルとが、その各縦方向の小口面同士を突き合わされると共に、前記各めねじを有するアンカーと各アンカー用長尺板とを、取付金物を介して建物躯体に取付けたことを特徴とし、この場合には、ＡＬＣコーナーパネルと平板状ＡＬＣパネルとが、同じＡＬＣ材質から構成されていることが好ましい。
【００２１】
【発明の実施の形態】
以下に、図面を参照しつつ本発明のＡＬＣコーナーパネルおよびその取付構造の詳細について説明する。
【００２２】
図１は本発明のＡＬＣコーナーパネルの第１実施例を示す一部透視斜視説明図、図２は同じく第２実施例を示す一部透視斜視説明図、図３は同じく第３実施例を示す一部透視斜視説明図、図４は本発明のＡＬＣコーナーパネルの取付構造の一例を示す斜視説明図である。
【００２３】
図１に示した第１実施例において、このＡＬＣコーナーパネル２０は、これと共に使用する他の平板状パネルと同じＡＬＣ材質から形成されたものであり、直角状に折り曲げられたコーナー部２１の両側に平面部２２，２３を有する断面Ｌ字型に構成されている。
【００２４】
そして、各平面部２２，２３の縦方向の下部Ａと中間部Ｂとには、めねじを有するアンカー３０，３１（以下、単にアンカーと呼ぶ）がそれぞれ埋設固定されている。
【００２５】
さらに、このＡＬＣコーナーパネル２０には、篭状の補強鉄筋５０が埋設されており、上記各アンカー３０，３１は、この補強鉄筋５０に溶接などの手段により固定されている。
【００２６】
すなわち、この実施例では、各アンカー３０，３１に足部３０ａ，３１ａが設けられており、アンカー本体の一部を補強鉄筋５０の縦筋に、また足部の３０ａ，３１ａ端部を補強鉄筋５０の横筋に、それぞれ固定している。
【００２７】
このように構成された本第１実施例のＡＬＣコーナーパネル２０は、その下部Ａと中間部Ｂとの各アンカー３０，３１にボルトを螺合し、イナズマプレートやＬ字型アングルなどの取付金物を介して建物躯体に取付けることが可能である。
【００２８】
そして、各アンカー３０，３１は、補強鉄筋５０に固定されているため、その取付強度が向上し、取付けのための座堀り部を設ける必要がなくなる。
【００２９】
したがって、本発明のＡＬＣコーナーパネル２０によれば、座堀り作業やその座堀り部の補修作業が不要となると共に、外観および取付強度を損なうことなく、ベランダなどを構築することができる。
【００３０】
しかも、ベランダ構造などのすべてを同じＡＬＣ材質により構築することができるため、軽量コンクリートなどの他の素材からなるコーナーパネルを用意する必要がなく、その結果トータルコストの低減を図ることもできる。
【００３１】
図２に示した第２実施例において、このＡＬＣコーナーパネル２０は、上記第１実施例と同様に、ＡＬＣ材質から形成されたものであり、直角状に折り曲げられたコーナー部２１の両側に平面部２２，２３を有する断面Ｌ字型に構成されている。
【００３２】
そして、各平面部２２，２３の縦方向の下部Ａには、アンカー３０，３０がそれぞれ埋設固定されており、同じく縦方向の中間部Ｂにはアンカー用長尺板４０，４０がそれぞれ埋設固定されている。
【００３３】
さらに、このＡＬＣコーナーパネル２０には、篭状の補強鉄筋５０が埋設されており、各アンカー３０，３０および各アンカー用長尺板４０，４０は、この補強鉄筋５０に溶接などの手段により固定されている。
【００３４】
すなわち、この実施例では、各アンカー３０，３０に足部３０ａ，３０ａが設けられており、アンカー本体の一部を補強鉄筋５０の縦筋に、また足部の３０ａ，３０ａ端部を補強鉄筋５０の横筋に、それぞれ固定している。
【００３５】
また、各アンカー用長尺板４０，４０は、パネルの縦方向に長尺に形成されており、取付金物のボルトと適合する位置にめねじ孔４１が設けられると共に、長手方向両端にそれぞれ各２本の足部４２ａ，４２ｂ，４２ｃ，４２ｄを有しており、これらの足部４２ａ，４２ｂ，４２ｃ，４２ｄの先端を折り曲げて、この折曲部で補強鉄筋５０の縦筋を包みこむかあるいは潜り込ませるようして、それぞれ補強鉄筋５０に固定されている。このような構造であるため、アンカー用長尺板４０，４０をそれぞれ補強鉄筋５０に固定する作業が容易になる。
【００３６】
なお、足部４２ａ，４２ｂ，４２ｃ，４２ｄの他に、めねじ孔４１が設けられる位置にも足部を設けることが取付強度の面で好ましい。また、各アンカー３０，３０の頭部位置と、各アンカー用長尺板４０，４０の表面位置とは、パネル取付側表面からほぼ同じ深さに位置するように設定されている。
【００３７】
このように構成された本第２実施例のＡＬＣコーナーパネル２０もまた、各アンカー３０および各アンカー用長尺板４０のめねじ孔４１にボルトを螺合し、イナズマプレートやＬ字型アングルなどの取付金物を介して建物躯体に取付けることが可能である。
【００３８】
そして、各アンカー３０およびアンカー用長尺板４０は、いずれも補強鉄筋５０に固定されているため、その取付強度が向上し、取付けのための座堀り部を設ける必要がなくなる。
【００３９】
したがって、本発明のＡＬＣコーナーパネル２０によれば、座堀り作業やその座堀り部の補修作業が不要となると共に、外観および取付強度を損なうことなく、ベランダなどを構築することができる。
【００４０】
しかも、ベランダ構造などのすべてを同じＡＬＣ材質により構築することができるため、軽量コンクリートなどの他の素材からなるコーナーパネルを用意する必要がなく、その結果トータルコストの低減を図ることもできる。
【００４１】
加えて、縦方向の取付位置が変化した場合であっても、アンカー用長尺板４０の任意の個所にめねじ孔４１を新たに開口することにより対応可能であり、取付現場において取付位置の変化に容易に対応可能となる。
【００４２】
さらに、各アンカー３０，３０の頭部位置と、各アンカー用長尺板４０，４０の表面位置とを、パネル取付側表面からほぼ同じ深さに位置するように形成することによって、パネルの下部Ａおよび中間部Ｂに同一長さのボルトを利用することができ、これにより部品種の低減を図ることができる。
【００４３】
図３に示した第３実施例においても、このＡＬＣコーナーパネル２０は、上記第１および第２実施例と同様に、ＡＬＣ材質から形成されたものであり、直角状に折り曲げられたコーナー部２１の両側に平面部２２，２３を有する断面Ｌ字型に構成されている。
【００４４】
そして、各平面部２２，２３には、その縦方向略中心位置Ｂから下部Ａにまで連続したアンカー用長尺板４０，４０がそれぞれ埋設されている。
【００４５】
さらに、このＡＬＣコーナーパネル２０には、篭状の補強鉄筋５０が埋設されており、各アンカー用長尺板４０，４０は、この補強鉄筋５０に溶接などの手段により固定されている。
【００４６】
すなわち、この実施例では、各アンカー用長尺板４０，４０は、パネルの縦方向に長尺に形成されており、取付金物のボルトと適合する縦方向下部位置にめねじ孔４１，４１が設けられると共に、長手方向両端にそれぞれ各２本の足部４２ａ，４２ｂ，４２ｃ，４２ｄを有しており、これらの足部４２ａ，４２ｂ，４２ｃ，４２ｄの先端を折り曲げて、この折曲部で補強鉄筋５０の縦筋を包みこむかあるいは潜り込ませるようして、それぞれ補強鉄筋５０に固定されている。
【００４７】
なお、各アンカー用長尺板４０，４０は、パネル幅の中心位置よりもパネル取付側に位置されている。
【００４８】
このように構成された本第３実施例のＡＬＣコーナーパネル２０もまた、各アンカー用長尺板４０のめねじ孔４１にボルトを螺合し、イナズマプレートやＬ字型アングルなどの取付金物を介して建物躯体に取付けることが可能である。
【００４９】
そして、各アンカー用長尺板４０は、いずれも補強鉄筋５０に固定されているため、その取付強度が向上し、取付けのための座堀り部を設ける必要がなくなる。
【００５０】
したがって、本実施例のＡＬＣコーナーパネル２０によれば、座堀り作業やその座堀り部の補修作業が不要になると共に、外観および取付強度を損なうことなく、ベランダなどを構築することができる。
【００５１】
しかも、ベランダ構造などのすべてを同じＡＬＣ材質により構築することができるため、軽量コンクリートなどの他の素材からなるコーナーパネルを用意する必要がなく、その結果トータルコストの低減を図ることもできる。
【００５２】
加えて、縦方向の取付位置が変化した場合であっても、アンカー用長尺板４０の任意の個所にめねじ孔４１を新たに開口することにより対応可能であり、取付現場において取付位置が変化しても容易に対応可能となる。
【００５３】
さらに、各アンカー用長尺板４０，４０を、パネル幅の中心位置よりもパネル取付側に位置させることによって、パネル表面からめねじ孔４１を開口する際に容易かつ正確な作業が可能となり、かつ短いボルトを使用して取付構造を完成することができる。
【００５４】
次に、図４は、上記第１〜第３実施例のＡＬＣコーナーパネル２０のいずれかを、平板状ＡＬＣパネル１０と組合わせることによりベランダ構造を構築した例を示す。
【００５５】
すなわち、図４においては、本発明のＡＬＣコーナーパネル２０と、縦方向の下部と中間部とにそれぞれアンカーが埋設されている平板状ＡＬＣパネル１０，１０とが、その各縦方向の小口面同士を突き合わされると共に、前記各アンカーまたは前記各アンカーと各アンカー用長尺板および取付金物を介して建物躯体７０に取付けられている
【００５６】
各平板状ＡＬＣパネル１０，１０には、その縦方向の下部と中間部とにアンカー（図示せず）がそれぞれ埋設されており、取付金物としての受けアングル６０、Ｌ字型アングル６１、取付金具６２，６３およびボルト６４，６５を介して建物躯体（梁）７０に取付けられている。
【００５７】
つまり、建物躯体７０に支持された受けアングル６０により、平板状ＡＬＣパネル１０，１０の縦方向下部小口面を受けて、この受けアングル６０に固定したボルト６４，６５を、平板状ＡＬＣパネル１０，１０の各下部寄りに埋設されたアンカーに取付金具６２，６２を介して固定すると共に、同じく上側のＬ字型アングル６１に平板状ＡＬＣパネル１０，１０の縦方向略中間部を沿わせ、このＬ字型アングル６１に固定したボルト６３，６３を、平板状ＡＬＣパネル１０，１０の縦方向略中心部に埋設されたアンカーに取付金具６３，６３を介して固定している。
【００５８】
また、ＡＬＣコーナーパネル２０は、上記平板状ＡＬＣパネル１０，１０とその各縦方向の小口面同士が突き合わされて、上記平板状ＡＬＣパネル１０，１０の場合と同様に、その縦方向の下部と中間部が取付金物を介して建物躯体７０に固定される。なお、前記の小口面同士の突き合わせ部は、図４に示すような目地部にモルタル等を充填する湿式方式の他に、凹凸状目地部を突き合わせてモルタル等を使用しない乾式方式（図示せず）のいずれを採用してもよい。また符号８０は、Ｌ字型アングル６１に載置されたスラブである。
【００５９】
このように構成された本発明の取付構造においては、コーナー部分を構成するＡＬＣコーナーパネル２０を上記のように形成したことにより、その取付強度が向上しているため、平板状ＡＬＣパネル１０，１０と同じ材質からなるＡＬＣパネルをコーナーパネルとして適用可能であり、しかも従来のような座堀り作業や座堀り部の補修作業を不要として、外観および取付強度を損なうことなく、美麗なベランダおよびパラペット構造などを容易に構築することができる。
【００６０】
【発明の効果】
以上説明したように、本発明のＡＬＣコーナーパネルおよびその取付構造によれば、コーナーパネル自体の取付強度が向上し、取付けのための座堀り作業やその座堀り部の補修作業が不要となると共に、外観および取付強度を損なうことなく、美麗なベランダ構造などを容易に構築することができる。
また、中間部にアンカー用長尺板をもうけることにより、縦方向の取付位置が変化した場合であっても、アンカー用長尺板の任意の個所にめねじ孔４１を新たに開口することにより取付位置の変化に対応可能となる。
【００６１】
しかも、ベランダ構造などのすべてを同じＡＬＣ材質により構築することができるため、軽量コンクリートなどの他の素材からなるコーナーパネルを用意する必要がなく、その結果トータルコストの低減を図ることもできる。
したがって、本発明のＡＬＣコーナーパネルおよびその取付構造は、ベランダまたはパラペットなどの構築にとってきわめて有用である。
【図面の簡単な説明】
【図１】図１は本発明のＡＬＣコーナーパネルの第１実施例を示す一部透視斜視説明図である。
【図２】図２は同じく第２実施例を示す一部透視斜視説明図である。
【図３】図３は同じく第３実施例を示す一部透視斜視説明図である。
【図４】図４は本発明のＡＬＣコーナーパネルの取付構造の一例を示す斜視説明図である。
【図５】図５は従来のＡＬＣパネルの取付構造を示す一部透視斜視説明図である。
【図６】図６は図５におけるコーナーパネル部分の平面図である。
【符号の説明】
１０    平板状ＡＬＣパネル
２０    ＡＬＣコーナーパネル
２１    コーナー部
２２    平面部
２３    平面部
３０    アンカー
３１    アンカー
４０    アンカー用長尺板
４１    めねじ孔
５０    補強鉄筋
６０    受けアングル
６１    Ｌ字型アングル
６２    取付金具
６３    取付金具
６４    ボルト
６５    ボルト
７０    建物躯体（梁）
【図１】
0003995798.tif 000002
【図２】
0003995798.tif 000003
【図３】
0003995798.tif 000004
【図４】
0003995798.tif 000005
【図５】
0003995798.tif 000006
【図６】
0003995798.tif 000007